(57)【要約】      （修正有）【課題】高さ調整が容易に可能であって現場での施工効率を大きく向上させ得るとともに調整可能範囲が広くて１本で様々な現場に対応することができ、しかも施工後の地面の沈下に合わせての高さ調整も可能であり、更に施工後においては外観に優れて見栄えが良く、腐食も発生しにくい、屋外ウッドデッキの束構造を提供すること。【解決手段】屋外ウッドデッキの床板を支える大引きを支持する束柱1と、束石上に載置される座板2と、該座板2上に立設固定された雄ねじ部材3と、前記束柱1に固定されて該雄ねじ部材3と螺合された雌ねじ部材4とからなり、前記束柱1は木製であって且つその下面から上方に向けて前記雌ねじ部材4と同軸に穴5が形成され、該穴5に前記雄ねじ部材3が挿入されている束構造とする。【選択図】図１
2006125109.tif 000002
【特許請求の範囲】
【請求項１】
屋外ウッドデッキを支持するために用いられる束構造であって、ウッドデッキの床板を支える大引きを支持する束柱と、束石上に載置される座板と、該座板上に立設固定された雄ねじ部材と、前記束柱に固定されて該雄ねじ部材と螺合された雌ねじ部材とからなり、前記束柱は木製であって且つその下面から上方に向けて前記雌ねじ部材と同軸に穴が形成され、該穴に前記雄ねじ部材が挿入されていることを特徴とする束構造。
【請求項２】
前記雌ねじ部材は、貫通孔を有するプレートに固着されたナットからなり、該ナットの雌ねじ穴と前記プレートの貫通孔とは合致しており、該プレートが前記束柱に固定されてなることを特徴とする請求項１記載の束構造。
【請求項３】
前記雄ねじ部材の下端部に回転補助用のナットが螺着され、該ナットは前記座板の上面に固着されてなることを特徴とする請求項１又は２記載の束構造。
【請求項４】
前記雄ねじ部材に、束高さ固定用のナットが進退可能に螺着されてなることを特徴とする請求項１乃至３いずれかに記載の束構造。
【請求項５】
請求項１乃至４いずれかの束構造を用いて屋外ウッドデッキの束を施工する方法であって、ウッドデッキの床板を支持する大引きに前記束柱を固定した後、前記座板と共に雄ねじ部材を回転させて該束柱からの雄ねじ部材の突出長さを調整し、前記束柱上面から座板下面までの長さが大引き下面と束石上面との間の距離と等しくなるように設定することを特徴とする屋外ウッドデッキの束施工方法。
【請求項６】
前記設定が完了した後、前記束高さ固定用ナットを回転させて雄ねじ部材に沿って上昇させ、該ナットの上面を前記雌ねじ部材の下面に密接させることを特徴とする請求項５記載の屋外デッキの束施工方法。
【請求項７】
屋外に設置されるウッドデッキであって、床板と、該床板を支持する大引きと、地面上に設置された束石と、前記大引きと該束石との間に介在される束構造とからなり、該束構造は請求項１乃至４いずれかに記載の束構造からなり、前記床板を支持する大引きに前記束柱が固定され、前記座板が前記大引き下方に設置された束石上面に載置されてなることを特徴とする屋外ウッドデッキ。
【発明の詳細な説明】
【技術分野】
【０００１】
本発明は、高さ調整が可能であるとともに施工後の見栄えが良い屋外ウッドデッキの束構造並びにこの構造を用いた束施工方法及び屋外ウッドデッキに関するものである。
【背景技術】
【０００２】
従来、屋外にウッドデッキを設置する場合、地面に束石を設置して、束石とデッキの床板を支える大引きの間に木製の束を介在させることにより施工されていた。
しかしながら、地面に凹凸がある屋外において束石の高さを一定に揃えることは難しく、大引きと束石の間の距離と束の高さが合わないことが多い。そのため、素人が施工することは困難であり、専門の業者でも施工に非常に時間がかかっていた。
また、ウッドデッキの設置後に地面が沈下した場合、従来の木製束を用いて施工されたウッドデッキでは、束を新しいものと交換するしかなかった。
更に、木製束の場合、束が直接束石に接触する部分が腐食し易いという問題もあった。
【０００３】
このような問題点に鑑みて、高さ調整可能な金属製の束が提案されており（例えば特許文献１参照）、最近ではウッドデッキの施工の際に、従来の木製束に代わってこのような金属製束が用いられることが多くなってきた。
特許文献１に開示されたような金属製束を用いると、ターンバックルを回して束の高さを施工時に調整することができるため、束の高さを大引きと束石との間の距離に合わせる作業が簡単であり、施工後に地面が沈下した場合でも束の高さを調整することで対応することができる。
【０００４】
しかしながら、上記したような金属製束は、外部から見えない場所で使用する場合には問題ないものの、屋外に設置されるウッドデッキに使用した場合には、外部から金属製束が視認されるため、外観上あたかも木製のデッキに金属製の義足をつけたような違和感があり、非常に見栄えが悪いという問題があった。また、金属製束は強度を有する反面、木製束に比べて細いために、束が非常に華奢に見えてしまい、このことも上記した違和感を一層高める要因となっていた。
更に、従来の金属製束は、高さの調整範囲がせいぜい１５０ｍｍ程度しかないため、大引きと束石との間の距離と束の高さとの間にそれ以上の差がある場合には、別の金属製束を用意する必要があった。そのため、施工業者は、様々な現場に対応できるように高さの異なる多くの種類の金属製束を揃えておかなければならなかった。
【０００５】
【特許文献１】特開２００３−２０７８０号公報
【発明の開示】
【発明が解決しようとする課題】
【０００６】
本発明は上記従来技術の課題を解決すべくなされたものであって、高さ調整が容易に可能であって現場での施工効率を大きく向上させ得るとともに調整可能範囲が広くて１本で様々な現場に対応することができ、しかも施工後の地面の沈下に合わせての高さ調整も可能であり、更に施工後においては、外観に優れる上に腐食も起こりにくい、屋外ウッドデッキの束として最適な束構造並びにこの構造を用いた束施工方法及び屋外ウッドデッキを提供するものである。
【課題を解決するための手段】
【０００７】
請求項１に係る発明は、屋外ウッドデッキを支持するために用いられる束構造であって、ウッドデッキの床板を支える大引きを支持する束柱と、束石上に載置される座板と、該座板上に立設固定された雄ねじ部材と、前記束柱に固定されて該雄ねじ部材と螺合された雌ねじ部材とからなり、前記束柱は木製であって且つその下面から上方に向けて前記雌ねじ部材と同軸に穴が形成され、該穴に前記雄ねじ部材が挿入されていることを特徴とする束構造に関する。
請求項２に係る発明は、前記雌ねじ部材は、貫通孔を有するプレートに固着されたナットからなり、該ナットの雌ねじ穴と前記プレートの貫通孔とは合致しており、該プレートが前記束柱に固定されてなることを特徴とする請求項１記載の束構造に関する。
【０００８】
請求項３に係る発明は、前記雄ねじ部材の下端部に回転補助用のナットが螺着され、該ナットは前記座板の上面に固着されてなることを特徴とする請求項１又は２記載の束構造に関する。
請求項４に係る発明は、前記雄ねじ部材に、束高さ固定用のナットが進退可能に螺着されてなることを特徴とする請求項１乃至３いずれかに記載の束構造に関する。
【０００９】
請求項５に係る発明は、請求項１乃至４いずれかの束構造を用いて屋外ウッドデッキの束を施工する方法であって、ウッドデッキの床板を支持する大引きに前記束柱を固定した後、前記座板と共に雄ねじ部材を回転させて該束柱からの雄ねじ部材の突出長さを調整し、前記束柱上面から座板下面までの長さが大引き下面と束石上面との間の距離と等しくなるように設定することを特徴とする屋外ウッドデッキの束施工方法に関する。
請求項６に係る発明は、前記設定が完了した後、前記束高さ固定用ナットを回転させて雄ねじ部材に沿って上昇させ、該ナットの上面を前記雌ねじ部材の下面に密接させることを特徴とする請求項５記載の屋外デッキの束施工方法に関する。
【００１０】
請求項７に係る発明は、屋外に設置されるウッドデッキであって、床板と、該床板を支持する大引きと、地面上に設置された束石と、前記大引きと該束石との間に介在される束構造とからなり、該束構造は請求項１乃至４いずれかに記載の束構造からなり、前記床板を支持する大引きに前記束柱が固定され、前記座板が前記大引き下方に設置された束石上面に載置されてなることを特徴とする屋外ウッドデッキに関する。
【発明の効果】
【００１１】
請求項１に係る発明によれば、雄ねじ部材に対して雄ねじ部材を進退させることにより、全体高さを大引きと束石との間の距離に容易に合わせることが可能であり、しかも高さが高すぎる場合には、現場にて木製の束柱を切断して長さを調整することができるので、従来の金属製束のように何種類もの高さのものを用意する必要がない。また、雄ねじ部材が木製の束柱に設けられた穴に挿入されているため外部から視認されず、屋外ウッドデッキに用いた場合に金属製束のような外観上の違和感がなく見栄えが良いウッドデッキを得ることができる。
請求項２に係る発明によれば、雌ねじ部材がプレートを介して木製の束柱に固定されるので、雌ねじ部材を束柱に対して簡単且つ強固に固定することができる。
【００１２】
請求項３に係る発明によれば、雄ねじ回転補助用のナットにスパナを嵌合させることで雌ねじ部材に対する雄ねじ部材の進退操作を容易に行うことができ、高さ調整の作業性に優れたものとなる。
請求項４に係る発明によれば、束高さの調整完了後に、束高さ固定用ナットを回転させて雄ねじ部材に沿って上昇させ、該ナットの上面を前記雌ねじ部材の下面に密接させることによって、雄ねじ部材と雌ねじ部材の螺合の緩みを防止し、束の高さを長期間に亘って一定に維持することができる。
【００１３】
請求項５に係る発明によれば、束の高さを大引きと束石との間の距離に容易に合わせることが可能であるから、施工性に優れ、未熟練者であっても簡単に屋外ウッドデッキを施工することができ、しかも金属製束に比べて見栄えに優れた屋外ウッドデッキを得ることが可能な方法となる。
請求項６に係る発明によれば、束の高さを長期間に亘って一定に維持することができる屋外ウッドデッキを得ることができる方法となる。
【００１４】
請求項７に係る発明によれば、束の高さを容易に調整することが可能であって施工性に優れ、未熟練者であっても簡単に施工でき、しかも金属製束を用いた場合のように外観上の違和感が無く、見栄えが非常に良い屋外ウッドデッキとなる。
【発明を実施するための最良の形態】
【００１５】
以下、本発明に係る屋外ウッドデッキの束構造並びにこの構造を用いた束施工方法及び屋外ウッドデッキの好適な実施形態について、図面を参照しつつ説明する。
図１は本発明に係る束構造を示す分解斜視図であり、図２は本発明に係る束構造が用いられた屋外ウッドデッキの要部を示す側面図である。
本発明に係る束構造は、屋外に設置されるウッドデッキを支持するために用いられる束構造であって、デッキの床板を支える大引きの下面を支持する束柱（１）と、束石の上面に載置される座板（２）と、この座板（２）に対して垂直に立設固定された雄ねじ部材（３）と、束柱（１）の下方部分に固定されて雄ねじ部材（３）と螺合される雌ねじ部材（４）とを備えている。
【００１６】
束柱（１）は木製であって、自然木を四角柱や円柱等の形状に加工して得られる。
束柱（１）には、その下面から上方に向けて軸線方向（上下方向）に穴（５）が穿設されている。
この穴（５）は、雄ねじ部材（３）が内部に挿入される穴であるため、その内径は少なくとも雄ねじ部材（３）の外径よりも大きく設定されている。
また、穴（５）の長さ（深さ）は、雄ねじ部材（３）が外部から視認され難くするために、少なくとも雄ねじ部材（３）の長さ以上とすることが好ましいが、雄ねじ部材（３）よりも僅かに短い程度とすることもできる。穴（５）の長さについて具体値を挙げると、例えば１５０ｍｍ程度とすることができるが、適宜変更することができる。
穴（５）は、非貫通孔（盲穴）とすることが好ましいが、上面に向けて貫通する貫通孔としてもよい。
【００１７】
座板（２）は、束石の上面よりもやや小さい面積に形成された金属製の薄板からなり、その上面中心には雄ねじ部材（３）が垂直に立設固定されている。
雄ねじ部材（３）は金属製のボルト軸からなり、その一端部が座板（２）の上面に溶接等の固着手段によって一体に固着されている。
雄ねじ部材（３）の下端部にはナット（６）が螺着されており、このナット（６）は座板（２）の上面に溶接等の固着手段によって一体に固着されている。
【００１８】
ナット（６）は、雄ねじ部材（３）を雌ねじ部材（４）に対して相対的に回転させるときの回転操作を補助するために取り付けられているものであって、ナット（６）にスパナを嵌めることで、雌ねじ部材（４）に対する雄ねじ部材（３）の進退操作を容易に行うことが可能となる。尚、上記した如く雄ねじ部材（３）と座板（２）は一体に固着されているので、座板（２）は雄ねじ部材（３）の進退に伴って雌ねじ部材（４）に対して進退し、これにより束構造の全体長さ（束柱上面から座板下面までの長さ）が変化する。
【００１９】
雌ねじ部材（４）は、束柱（１）の下方部分に固定されて雄ねじ部材（３）と螺合される部材であって、図示例では、金属製の薄板からなるプレート（１３）の下面に溶接等によって固着一体化されたナット（４）から構成されている。
プレート（１３）はその中心に貫通孔（１４）を有しており、ナット（４）はその中心の雌ねじ穴がこの貫通孔（１４）と合致するようにプレートに固着されている。
プレート（１３）の貫通孔（１４）の内径は、雄ねじ部材（３）の外径よりも大きくされており、雄ねじ部材（３）はナット（４）の雌ねじ穴に螺合されることで貫通孔（１４）を貫通する（図２参照）。
【００２０】
プレート（１３）の大きさは、外部からプレートが視認されにくいように、束柱（１）の下面の大きさと同じかそれより小さい大きさとされる。
また、プレート（１３）の縁部近傍には、複数（図示例では４つ）の貫通孔（１６）が設けられており、これらの貫通孔（１６）にビス（７）を通して束柱（１）の下面に対してねじ込むことにより、ナット（４）からなる雌ねじ部材がプレート（１３）を介して束柱（１）の下面に固定される。
但し、本発明においては必ずしもプレート（１３）を用いる必要は無く、例えばナット（４）を直接に束柱（１）の下面に埋め込んで固定したもの等も本発明に含まれる。
【００２１】
雌ねじ部材（４）を構成するナット（４）の雌ねじ穴とプレート（１３）の貫通孔（１４）は、束柱（１）の下面に形成された穴（５）と同軸とされ、これにより図２に示す如く、ナット（４）に螺合挿通された雄ねじ部材（３）が束柱（１）の穴（５）に挿入されるようになる。尚、図２においては、本発明の理解を容易にするため、束柱（１）の穴（５）の部分を断面にて示しているが、実際には図１から明らかなように穴（５）及びその内部に挿入された雄ねじ部材（３）は外部からは視認され得ない。
【００２２】
雄ねじ部材（３）には、束高さ固定用のナット（８）が螺着されている。
ナット（８）は、前述したナット（６）とは異なり、回転させることにより雄ねじ部材（３）に沿って進退（上下移動）可能とされている。
このナット（８）は、後述する如く、束高さの調整が完了した後に、雄ねじ部材（３）に沿って上昇させて、上面を雌ねじ部材を構成するナット（４）の下面に密接させることによって、束の高さを固定するロックナットとして機能する。
【００２３】
本発明に係る屋外ウッドデッキの束施工方法では、上記した各構成要素が予め組み合わされた束構造を用いることができ、以下この方法について具体的に説明する。
尚、本発明は、束構造及びその施工方法のみが従来技術と異なるものであるから、従来技術と同じであって当業者に公知である屋外ウッドデッキの他の部分の構造及びその施工方法については説明を省略する。
施工にあたっては、予め上記構成からなる束構造の全体の長さ（束柱の上面から座板の下面までの長さ）を、ウッドデッキの床板（１０）を支持する大引き（１１）の下面と束石（１２）の上面の間の距離よりも短く調整しておくとよい。この調整は、雌ねじ部材（４）に対して雄ねじ部材（３）を回転させることにより容易に行うことができる。
【００２４】
尚、雄ねじ部材（３）を回転させても、束構造の全体長さが大引き（１１）の下面と束石（１２）の上面の間の距離より短くならない場合は、施工現場にて束柱（１）の上部をのこぎり等により切断して短くすればよい。
また、予めデッキの大引き下面と束石上面までの距離を確認しておくと、現場に行く前に束柱（１２）の長さを切断不要な長さに予め調整しておくことができる。この距離は、所望するデッキの床の高さ（床板（１０）の上面から束石（１２）の上面までの距離）（図５（Ｈ）参照）を確認することによって容易に算出することができる。尚、コンクリートベランダ（Ｃ）がある場合には、床板の上面からコンクリートベランダ（Ｃ）の上面までの距離（図５（ｈ）参照）を確認しておけばよい。また、図６において、（９）は大引きと束柱を接続する接続金物である。
【００２５】
尚、図５はデッキの高さについての説明図であるため、デッキ高さの概念の理解を容易にするために従来の木製束を用いた一般的なウッドデッキ構造が示されているが、従来の木製束に置き換えて上記構造からなる本発明に係る束構造（図２参照）を用いると、本発明に係るウッドデッキ構造が得られることになる。
【００２６】
そして、図３に示す如く、ウッドデッキの床板（１０）を支持する大引き（１１）の下部に束柱（１）を固定する。この固定方法は、従来より公知の大引きと束柱との固定方法と同様の方法を採用することができ、一例として図６に示すような接続金物（９）とビス（１５）を用いて固定することができる。
次いで、雌ねじ部材（４）に対して雄ねじ部材（３）を回転させることにより、束柱（１）の下面から突出する雄ねじ部材（３）の長さを長くしていき、束柱（１）の上面から座板（２）の下面までの長さが大引き（１１）の下面と束石（１２）の上面との間の距離と等しくなるまでこれを続ける。
【００２７】
束柱（１）の上面から座板（２）の下面までの長さが大引き（１１）の下面と束石（１２）の上面との間の距離と等しくなると、図４に示す如く、座板（２）の下面が束石（１２）の上面に当接するので、大引き（１１）が束構造によって束石（１２）上にしっかりと支えられるようになる。
この束高さの調整は、単に雄ねじと雌ねじを相対的に回転させるだけなので、未熟練者であっても簡単且つ正確に行うことができ、従来の木製束での作業に比べて施工性に非常に優れている。
【００２８】
束高さの調整が完了した後、ナット（８）を回転させて雄ねじ部材（３）に沿って上昇させて、図２に示した如く、ナット（８）の上面を雌ねじ部材（４）を構成するナット（４）の下面に密接させる。これにより、雌ねじ部材（４）の経時的な緩みが防止されて、長期間に亘って束の高さを一定に維持することができる。
【００２９】
図７は本発明に係る屋外ウッドデッキの一例を示す外観図である。
本発明に係る屋外ウッドデッキは、建物（Ｂ）の屋外に設けられる木製のデッキであって、床板（１０）と、該床板（１０）を下方から支持する大引き（１１）（図２参照）と、該大引き（１１）の下方の地面上に設置された束石（１２）と、大引き（１１）の下面と束石（１２）の上面との間に介在される束構造とからなり、この束構造として上記説明した通りの束構造を用いるものである。即ち、図７に示した屋外ウッドデッキの束構造は、図２に示した束構造である。
【００３０】
本発明に係る屋外ウッドデッキは、ウッドデッキの床板（１０）を支持する大引き（１１）の下部に上記束構造の束柱（１）が、例えば図６に示したような接続金物とビスにより固定され、束石（１２）の上面に上記した束構造の座板（２）が載置された構造を有している。そして、かかる構造は、上記段落（００２３）〜（００２８）にて説明した通りの施工方法によって得ることができる。
【００３１】
このようにして得られる本発明に係る屋外ウッドデッキは、木製の束柱を用いているので、外部からは木製の床板を木製の束で支持しているようにしか見えず、金属製束を用いた場合のような違和感がなく外観が非常に優れている。尚、雄ねじ部材（３）は金属製のものが用いられるが、雄ねじ部材（３）は木製の束柱（１）に比べて充分に細く、しかも束柱（１）から突出する長さが短く且つその位置が低いので、外部からは全くもしくは殆ど見えない。
そして、木製の束柱は直接束石に接触しないので、腐食も起こりにくい。
更に、施工後において、地面が沈下した場合には、雌ねじ部材（４）に対して雄ねじ部材（３）を回転させ、束柱（１）の下面から突出する雄ねじ部材（３）を長くして束の高さを調整することにより、容易に対応することができる。
【産業上の利用可能性】
【００３２】
本発明は、従来の木製束と金属製束の欠点を解消して長所のみを取り入れたものであり、屋外に設置されるウッドデッキに対して非常に好適に利用され得るものである。
【図面の簡単な説明】
【００３３】
【図１】本発明に係る束構造を示す分解斜視図である。
【図２】本発明に係る束構造が用いられた屋外ウッドデッキの要部を示す側面図であって、屋外ウッドデッキの束施工方法の最終工程を示す説明図である。
【図３】本発明に係る屋外ウッドデッキの束施工方法の初期工程を示す説明図である。
【図４】本発明に係る屋外ウッドデッキの束施工方法の中間工程を示す説明図である。
【図５】本発明に係る屋外ウッドデッキの束施工方法において束の必要高さを算出する方法の一例を説明する図である。
【図６】本発明に係る屋外ウッドデッキの大引きと束柱の接続方法の一例を示す外観図である。
【図７】本発明に係る屋外ウッドデッキの外観図である。
【符号の説明】
【００３４】
１      束柱
２      座板
３      雄ねじ部材
４      雌ねじ部材（ナット）
５      穴
６      回転補助用のナット
８      束高さ固定用のナット
１０    床板
１１    大引き
１２    束石
１３    プレート
１４    貫通孔
【図１】
2006125109.tif 000003
【図２】
2006125109.tif 000004
【図３】
2006125109.tif 000005
【図４】
2006125109.tif 000006
【図５】
2006125109.tif 000007
【図６】
2006125109.tif 000008
【図７】
2006125109.tif 000009